(57)【要約】【課題】外構基礎に於ける底盤を所望の幅に設定すると共に工事期間の短縮をはかる。【課題手段】基礎ユニットＡは、高さが等しく所定の間隔を持って対向して配置された二つの側板部材１、２を、該側板部材の高さよりも低い連結部材３によって連結し、少なくとも一方の側板部材２に貫通部４を設ける。施工方法は、予め施された地業２０に基礎ユニットＡを並べる工程、基礎ユニットＡを並べた後、側板部材２側に沿って所定距離離隔した位置に型枠２１を構成する工程、基礎ユニットＡの上部にブロック１０を積載すると共に配筋する工程、ブロック１０の上方及び基礎ユニットＡと型枠２１とによって構成された空間にコンクリートを打設する工程、を含む。  【選択図】    図５
2008190232.tif 000002
【特許請求の範囲】
【請求項１】
高さが等しく所定の間隔を持って対向して配置された二つの側板部材を、該側板部材の高さよりも低い連結部材によって連結し、少なくとも一方の側板部材に該側板部材の厚さ方向に貫通する貫通部を設けたことを特徴とする外構基礎ユニット。
【請求項２】
予め施された地業に請求項１に記載した外構基礎ユニットを並べ、外構基礎ユニットの貫通部が設けられた側板側に沿って所定距離離隔した位置に型枠を構成すると共に所定の鉄筋を配筋することで、前記外構基礎ユニット及び該外構基礎ユニットに積載されるブロックの重量を地業面によって直接支持し得るように構成したことを特徴とする外構基礎構造。
【請求項３】
予め施された地業に請求項１に記載した外構基礎ユニットを並べる工程、
前記外構基礎ユニットを並べた後、貫通部が設けられた側板部材側に沿って所定距離離隔した位置に型枠を構成する工程、
前記外構基礎ユニットの上部に外構の基礎を構成するブロックを積載すると共に、該外構基礎ユニット及びブロックと型枠とからなる部位に外構の基礎を構成する鉄筋を配筋する工程、
前記外構基礎ユニットに積載されたブロックの上方、及び外構基礎ユニットと型枠とによって構成された空間にコンクリートを打設する工程、
を含むことを特徴とする外構基礎の施工方法。
【発明の詳細な説明】
【技術分野】
【０００１】
本発明は、コンクリートブロック塀に代表される外構の基礎を構成する際に用いて有利な外構基礎ユニットと、この外構基礎ユニットを用いた外構基礎構造及び施工方法に関するものである。
【背景技術】
【０００２】
住宅等の建物では、コンクリートブロックを複数段積み上げて外構としての塀を構築することが行われる。このコンクリートブロック塀は地震による倒壊が発生することがないように、例えば、基礎は丈が３５ｃｍ以上の鉄筋コンクリートであることが定められている。
【０００３】
コンクリートブロック塀を構築する際の一般的な工法は、目的の構築部位に沿って砕石等を敷設転圧する地業を施した後、この地業面に鉄筋を配筋すると共に型枠を構成し、この型枠にコンクリートを打設して底盤（ベース）及び立ち上がり部を有する基礎を施工し、この基礎の養生期間が終了した後、型枠を撤去すると共に、硬化した基礎の立ち上がり部にコンクリートブロックを積み上げあげる。
【０００４】
上記工法に於いて、打設されたコンクリートの養生期間として国土交通省は告示で、気温に応じて５日〜８日と定めている。また、日本建築学会の建築工事標準仕様書（ＪＡＳＳ５）記載にあるように、コンクリート打設後、１日間は打設されたコンクリート上部での作業を禁止している。このようなコンクリートの養生期間は、行政的、法令的なものではなく、学術的な研究に基づくものである。
【０００５】
充分な養生を行わないて強度が出ないうちに底盤に荷重を作用させた場合、基礎そのものが変形したり、基礎にクラックが入る等の問題が生じる。しかし、外構工事の施工現場では、短い工期の中に養生期間を設定せざるを得ず、職人のやりくりが煩雑になるという問題を抱えている。
【０００６】
このため、型枠の組立・解体作業をなくして作業効率を高めると共に、基礎立ち上がり部分の施工がコンクリートの養生を待たずに可能となるようにしたコンクリートブロック塀用型枠状基礎スラブブロックが提案されている（特許文献１参照）。この技術は、直方体形状の型枠ブロックの外殻が対向する一対のフェイスシェルで形成され、この対向する一対のフェイスシェルの内殻側に、対向する一対のフェイスシェルと直交して連結固定し、配力筋を挿通する配力筋挿通凹溝を有する一対の主ウエブと、一対の主ウエブの内殻側中央部分に、一対の主ウエブを連結固定し、主筋と縦筋を支持する副ウエブと、対向する一対のフェイスシェルの内殻側中央部分に、主筋と縦筋を挿通し固定する主筋・縦筋挿通凹溝が対向して形成された基礎スラブブロックである。
【０００７】
上記特許文献１の技術では、対向する一対のフェイスシェルが型枠としての機能を発揮し、フェイスシェルと主ウエブの上に基礎立ち上がり部分の型枠ブロックを積み上げることができるので、型枠の組立・解体作業がなくなり、基礎立ち上がり部分の施工を基礎スラブの施工後連続して行うことができ、施工期間の短縮化をはかることができる、という効果を有する。
【０００８】
【特許文献１】実用新案登録第３１２２０９８号公報
【発明の開示】
【発明が解決しようとする課題】
【０００９】
特許文献１の技術では、基礎スラブブロックを構成する対向する一対のフェイスシェルが型枠としての機能を有するため、該基礎スラブブロックを設置することによって基礎スラブの幅寸法を設定する型枠を同時に組み立てることとなる。従って、基礎スラブ（底盤）の幅寸法は基礎スラブブロックに於ける対向する一対のフェイスシェルの間隔に依存することとなる。
【００１０】
一方、外構基礎に於ける底盤の幅寸法は地盤の条件や積み上げるべきコンクリートブロックの段数等の条件に応じて変化する。このため、特許文献１の技術では、底盤の幅寸法に対応させて対向する一対のフェイスシェルの間隔を設定した多数種の基礎スラブブロックが必要となる。
【００１１】
従って、基礎スラブブロックを製造する際の管理が煩雑になり、且つ在庫管理も複雑になるなどの問題が生じる虞がある。
【００１２】
本発明の目的は、外構基礎に於ける底盤を所望の幅に設定することができる外構基礎ユニットと、この外構基礎ユニットを用いた外構基礎構造と、外構基礎の施工方法を提供することにある。
【課題を解決するための手段】
【００１３】
上記課題を解決するために本発明に係る外構基礎ユニットは、高さが等しく所定の間隔を持って対向して配置された二つの側板部材を、該側板部材の高さよりも低い連結部材によって連結し、少なくとも一方の側板部材に該側板部材の厚さ方向に貫通する貫通部を設けたものである。
【００１４】
また本発明に係る外構基礎構造は、予め施された地業に上記外構基礎ユニットを並べ、外構基礎ユニットの貫通部が設けられた側板側に沿って所定距離離隔した位置に型枠を構成すると共に所定の鉄筋を配筋することで、前記外構基礎ユニット及び該外構基礎ユニットに積載されるブロックの重量を地業面によって直接支持し得るように構成したものである。
【００１５】
更に、本発明に係る外構基礎の施工方法は、予め施された地業に上記外構基礎ユニットを並べる工程、前記外構基礎ユニットを並べた後、貫通部が設けられた側板部材側に沿って所定距離離隔した位置に型枠を構成する工程、前記外構基礎ユニットの上部に外構の基礎を構成するブロックを積載すると共に、該外構基礎ユニット及びブロックと型枠とからなる部位に外構の基礎を構成する鉄筋を配筋する工程、前記外構基礎ユニットに積載されたブロックの上方、及び外構基礎ユニットと型枠とによって構成された空間にコンクリートを打設する工程、を含むことを特徴とするものである。
【発明の効果】
【００１６】
上記外構基礎ユニット（以下「基礎ユニット」という）では、高さが等しく少なくとも一方が貫通部を有する二つの側板部材を、所定の間隔を持って対向して配置すると共に連結部材によって連結したので、貫通部が設けられた側板部材は型枠としての機能を持たない。このため、貫通部が設けられた側板部材側には、該側板部材から底盤の幅寸法に対応した寸法だけ離隔した位置に型枠を構成し、基礎ユニットの上方、底盤部分の上方からコンクリートを打設することで外構基礎を構築することができる。
【００１７】
従って、底盤の幅は基礎ユニットの他方の側面から型枠までの寸法となり、外構の構造や地盤の条件等に対応させて最適な基礎を構築することができる。
【００１８】
また上記外構基礎構造では、地業に基礎ユニットを並べ、貫通部が設けられた側板部材に沿って型枠を構成すると共に配筋することで、基礎ユニットの上部に積載されるブロックの重量を地業面で直接支持することができる。このため、基礎ユニットと型枠とによって構成された底盤部分にコンクリートを打設しても、基礎ユニットに積載されたブロックの重量が打設されたコンクリートに作用することがなく、打設されたコンクリートに悪影響を及ぼすことがない。
【００１９】
また上記施工方法では、地業に基礎ユニットを並べ、貫通部が設けられた側板部材に沿って所定距離離隔させて型枠を構成し、外構ユニットの上部に外構基礎の立ち上がり部となるブロックを積載すると共に配筋し、ブロックの上方及び外構基礎と型枠とによって構成された空間にコンクリートを打設することで、外構基礎を構築することができる。
【００２０】
基礎ユニットが地業面に直接支持されることから、コンクリートを打設して、１日程度経過した後、型枠をはずすことなく外構基礎の立ち上がり部を構成するブロックの上部に外構を構成するコンクリートブロックを積載することによって、底盤部分に打設されたコンクリートに振動や重量を作用させることなく、外構工事にかかることができる。
【００２１】
従って、打設されたコンクリートの養生期間として少なくとも５日以上必要であったものが、１日経過した後、コンクリートブロックの積載作業を行うことができ、このコンクリートブロックの積載作業の期間と養生期間とを重複させることができる。このため、外構工事に要する期間を短縮することができる。
【発明を実施するための最良の形態】
【００２２】
以下、本発明に係る基礎ユニット、外構基礎構造、施工方法の最も好ましい形態について説明する。
【００２３】
本発明に係る基礎ユニットは、目的の外構の構造や地盤等の条件に対応させて最適な底盤の幅寸法を設定して外構基礎を構築し得るようにしたものであり、且つ外構基礎を構築する際に地業面に並べられることで、該基礎ユニットに作用する重量を地業面によって支持し得るようにしたものである。このため、底盤に対応して打設されたコンクリートが、有害な振動を与えてはいけないとされる１日間が経過した後、上方に例えばコンクリートブロックを積載しても、これらの重量を直接地業に伝えることが可能であり、打設されたコンクリートの養生期間であるにも関わらず、外構工事を進めることが可能である。
【００２４】
本発明の基礎ユニットは、高さが等しく所定の間隔を持って対向して配置された二つの側板部材を有しており、これらの側板部材を該側板部材の高さよりも低い連結部材によって連結し、更に、少なくとも一方の側板部材に厚さ方向に貫通する貫通部を設けて構成されている。
【００２５】
二つの側板部材は上方に外構基礎の立ち上がり部を構成するブロックが積載される積載部としての機能を有し、更に、該ブロックの上方に複数段積載されるコンクリートブロックの重量を地業に伝える重量の支持部材としての機能を有する。このため、側板部材は前記機能を満足し得る寸法と強度を有することが必要である。
【００２６】
側板部材の高さ及び長さ（基礎ユニットの平面的な寸法）は特に限定するものではなく、外構基礎の底盤の厚さと等しい寸法であることが好ましい。
【００２７】
連結部材は二つの側板部材を高さ方向の所定位置で連結し、側板部材に荷重が作用したとき、これらの側板部材を拘束する機能を有している。連結部材は基礎ユニットに打設されたコンクリートの流動を阻害するものであってはならず、このため、側板部材の高さよりも低くなるように形成される。
【００２８】
側板部材の高さと連結部材の高さとの関係は特に限定するものではなく、二つの側板部材を連結したとき、連結部材の上方及び下方に夫々打設されたコンクリートが流動し得るような隙間が形成されることが好ましい。
【００２９】
二つの側板部材間の寸法、即ち、基礎ユニットの厚さは特に限定するものではない。しかし、外構基礎を構築する際に、地業面に並べた基礎ユニットの上方に外構基礎の立ち上がり部を構成するブロックを積載するため、このブロックの厚さと同じであることが好ましい。
【００３０】
基礎ユニットを構成する二つの側板部材のうち少なくとも一方の側板部材には、厚さ方向に貫通した貫通部が設けられる。この貫通部は、底盤を構築する際に底盤に配筋されるベース筋、或いはあばらベース筋を通過させると共に、コンクリートを打設したとき、基礎ユニットの内部、即ち、二つの側板部材の間の空間と底盤を構成する外部の空間とを連続させて一体的なコンクリート構造物を構築するためのものである。
【００３１】
従って、貫通部が設けられた側板部材に沿って、且つ所定距離離隔した位置に底盤の端部を規定する型枠が設置される。また貫通部の寸法や数は特に限定するものではなく、ベース筋の地業面からの高さやコンクリートの流動性等の条件から適宜設定することが好ましい。
【００３２】
本発明では、基礎ユニットを構成する二つの側板部材に夫々貫通部が設けられていても良く、この場合、基礎ユニットの二つの側板部材に沿って型枠が形成されることとなる。
【００３３】
基礎ユニットは地業面に並べて設置され、且つ上方に外構基礎を構成するブロックが積載され、上方からコンクリートが打設される。特に、貫通部が設けられていない側板部材は型枠としての機能を有するものであり、並べられた基礎ユニットの間からコンクリートが漏れることは好ましいことではない。
【００３４】
このため、基礎ユニットを構成する側板部材であって特に貫通部が設けられていない側板部材の長手方向の小口面に段差や凹凸からなる嵌合部を形成しておき、この嵌合部を嵌合させて並べることで、打設されたコンクリートの漏れを防ぐようにすることが好ましい。この嵌合部は長手方向の小口面に加えて上面にも形成しておくことが好ましく、このように、長手方向の小口面と上面に夫々嵌合部を形成しておくことで、複数の基礎ユニットを設置する際のガイドとして機能させることも可能となる。
【００３５】
上記の如き基礎ユニットを構成する材料は特に限定するものではなく、前述した機能を発揮し得るものであれば良い。このような材料としては、コンクリートや鉄、アルミ等の金属類、或いは合成樹脂類があり、これらの材料を用いて、成形型にコンクリートを流し込んで硬化させたコンクリートブロック、或いは鋳鉄やアルミ鋳物、更に、合成樹脂の成型品、等とすることが可能である。これらの材料であれば、何れも外構基礎を構築する際に打設されたコンクリートとの付着性も問題はない。
【００３６】
また本発明に係る外構基礎構造は、予め施された地業に上記基礎ユニットを並べ、貫通部が設けられた側板部材に沿って所定距離離隔させた位置に底盤を規定する型枠を構成し、基礎ユニットと型枠とによって規定された底盤に対応する空間に所定の鉄筋を配筋した構造を有するものであり、基礎ユニット及び該基礎ユニットに積載された外構基礎を構成するブロックの重量を地業面によって支持し得るようにしたものである。
【００３７】
基礎ユニットと型枠との距離、即ち、底盤の寸法は目的の外構を構築するための外構基礎に必要な寸法に設定することが可能である。従って、目的の外構の構造や地盤の条件に対応して如何なる寸法を持った外構基礎であっても構築することが可能である。
【実施例１】
【００３８】
次に、基礎ユニットの実施例について図を用いて説明する。図１は本実施例に係る基礎ユニットの構成を説明する図である。図２は基礎ユニットの嵌合部を説明する図である。
【００３９】
図に示す基礎ユニットＡはコンクリートブロックとして構成されており、高さが等しい二つの側板部材１、２が予め設定された間隔をおいて対向して配置され、これらの側板部材１、２の高さよりも低い高さを持った連結部材３によって連結されており、一方の側板部材２に二つの貫通部４が設けられている。
【００４０】
連結部材３は側板部材１、２の長さ方向（図１の左右方向）の略中央に、且つ高さ方向（図１の上下方向）の略中央に配置されて夫々の側板部材１、２を連結している。このため、基礎ユニットＡには側板部材１、２の間で連結部材３の上下、左右に夫々空間が形成され、この空間がコンクリートが流動し、且つ充填される空間となる。
【００４１】
連結部材３の上面３ａの高さは特に限定するものはないが、後述する主筋の配筋位置に対応している。このように、連結部材３の上面を主筋の配筋位置に対応させた高さとすることで、外構基礎を構築する際に、主筋の配筋作業を容易に進めることが可能となる。
【００４２】
尚、本実施例の基礎ユニットＡでは、側板部材１、２を一つの連結部材３によって連結しているが、この構成に限定するものではなく、複数の連結部材によって側板部材を連結しても良いことは当然である。
【００４３】
貫通部４は、外構基礎の底盤を構成する際に配筋されたベース鉄筋を通過させると共に打設されたコンクリートを流通させるものであり、側板部材２の厚さ方向に貫通して設けられている。特に、貫通部４は側板部材２の長手方向に於ける連結部材３の両側に設けられており、基礎ユニットＡの内部に外部に通じることのない空間を形成することがないように配置されている。
【００４４】
本実施例に於いて、貫通部４は側板部材２にゲート状に形成されているが、この形状に限定するものではなく、側板部材２の長手方向の小口面２ａに達するように形成しても良く（この場合、側板部材２は正面視がＴ字状になる）、また長手方向の両小口面２ａから連結部材３側にかけて高さ方向にも貫通させて形成しても良い（この場合、平面視がエ字状になる）。
【００４５】
基礎ユニットＡに於ける貫通部４が設けられていない側板部材１の長手方向の小口面１ａには図２（ａ）に示す段差からなる嵌合部５が形成されている。また側板部材１、２の上面１ｂ、２ｂにも同様に外構基礎Ｃの立ち上がり部を構成するブロック１０との間に、同図（ｂ）に示す段差からなる嵌合部６が形成されている。
【００４６】
上記の如き嵌合部５を形成することで、複数の基礎ユニットＡを長手方向に並べる際に隣接する基礎ユニットＡの嵌合部５を互いに嵌合させることで、比較的容易に直線性を保持することが可能であり、且つ隣接する基礎ユニットＡの間に形成される隙間を可及的に小さくしてコンクリートの漏れを防ぐことが可能となる。
【００４７】
更に、嵌合部６を形成することで、基礎ユニットＡの上部にブロック１０を積載する際に嵌合部６を互いに嵌合させることで、容易に互いの位置を確保することが可能であり、且つ上下に隣接する基礎ユニットＡとブロック１０の間に形成される隙間を小さくしてコンクリートの漏れを防ぐことが可能となる。
【実施例２】
【００４８】
次に第２実施例に係る基礎ユニットＢの構成について説明する。図３は本実施例に係る基礎ユニットの構成を説明する図である。尚、図に於いて前述の第１実施例と同一の部分及び同一の機能を有する部分には同一の符号を付して説明を省略する。
【００４９】
本実施例に係る基礎ユニットＢは合成樹脂によって構成されており、側板部材１、２を夫々長手方向の両端部分及び略中央部分に配置した連結部材３によって連結して構成されている。側板部材１には補強リブ１ｃが設けられており、この補強リブ１ｃによって上方に積載されるブロックの重量に対抗し、且つ基礎ユニットＢに打設されたコンクリートの圧力に対抗し得るように構成されている。
【００５０】
連結部材３は側板部材１、２の高さよりも低く形成されており、側板部材１、２を連結したとき、該連結部材３の上下に夫々コンクリートを流動させる空間が形成されている。
【００５１】
側板部材２には連結部材３の間に夫々貫通部４が形成されている。この貫通部４は、側板部材２の下端部分から該側板部材２の高さよりも低い高さと、同図に示すように連結部材３の間の位置を占めて形成されている。このため、側板部材２の上端部にはブリッジ２ｃが形成され、該ブリッジ２ｃによって基礎ユニットＢの長手方向に連続した部分が形成されている。
【００５２】
上記の如く構成された基礎ユニットＢでは、全体が箱形に形成されることとなり、高い剛性を発揮すると共に安定した強度を発揮することが可能である。このため、合成樹脂以外の例えば鋼板を溶接したり、鋳鉄やアルミ鋳物等の種々の材料を用いて構成することが可能である。
【実施例３】
【００５３】
次に、前述の基礎ユニットＡを用いて構成した外構基礎構造と、この外構基礎構造を施工する方法について説明する。図４は外構をコンクリートブロックを７段積み上げて構成したコンクリートブロック塀としたときの外構基礎構造を説明する図である。図５は外構基礎構造を施工する手順を説明する図である。
【００５４】
本実施例に係る外構基礎Ｃを構築するに際し、先ず、目的の外構を構築すべき地面を根伐りして地業２０を形成しておく。次に、地業２０に於ける予め設定された線に沿って複数の基礎ユニットＡを並べる。このとき、基礎ユニットＡの側板部材１を外構基礎Ｃの外側に向け、側板部材２を外構基礎Ｃの内側に向けて並べる。
【００５５】
目的の外構基礎Ｃに沿って複数の基礎ユニットＡを並べた後、側板部材２に沿って該側板部材２から予め設定された距離隔てた位置に型枠２１を構成する。
【００５６】
基礎ユニットＡの側板部材２に設けた貫通部４及び連結部材３を利用してベース筋２２、縦筋２３、主筋２４、配力筋２５を配筋すると共に、基礎ユニットＡの上方に外構基礎Ｃの立ち上がり部を構成するブロック１０を積載する。
【００５７】
尚、外構基礎Ｃの場合、ベース筋２２と縦筋２３を異なる鉄筋とすることもあり、一体的に形成することもある。また基礎ユニットＡの上方にブロック１０を積載する作業と配筋作業の順序は特に限定するものではなく、配筋作業を行った後、ブロック１０の積載を行い、或いはブロック１０を積載した後、配筋作業を行う場合もある。
【００５８】
更に、配筋及びブロック１０の積載作業と、基礎ユニットＡの側板部材２に沿って型枠２１を構成する作業の順序も特に限定するものではなく、配筋作業を行った後、型枠２１を構成しても良い。特に、根伐り幅が狭いような場合、地業２０に基礎ユニットＡを並べ、所定の配筋を行うと共にブロック１０を積載した後、型枠２１を設置するようにすると作業性が良いこともある。
【００５９】
上記の如くして地業２０に基礎ユニットＡを並べて配筋すると共にブロック１０を積載し、且つ型枠２１を構成したとき、基礎ユニットＡとブロック１０の重量は直接地業２０に伝えられ、該地業２０によって支持されることになる。
【００６０】
次に、縦筋２３を直立させて保持した状態で、ブロック１０の上方から、及び基礎ユニットＡの側板部材２と型枠２１の上方からコンクリートを投入し、基礎ユニットＡの側板部材１、２の間に形成された空間、及び基礎ユニットＡと型枠の間に形成された空間に隙間なく投入されたコンクリートを充填する。
【００６１】
上記の如くして外構基礎Ｃを構築することが可能である。しかし、この状態では打設されたコンクリートは高い流動性を有しており、外部から振動や加重をかけると変形やクラックが形成される虞がある。
【００６２】
このため、外構基礎Ｃにコンクリートを打設して１日が経過した後、型枠２１をそのままに保持した状態で、ブロック１０の上方にコンクリートブロック１１を積載する。このとき、予め設定された段数を積載する毎に横筋２６を配置してゆき、所定段数のコンクリートブロック１１を積載することで、目的の外構であるコンクリートブロック塀Ｄが完成する。
【００６３】
従来は、外構基礎を構築するためにコンクリートを打設した後、５日間以上の養生期間が必要であり、この期間にコンクリートブロックを積載する作業を行うことができなかったが、本実施例ではコンクリートを打設した後、１日経過した後はコンクリートブロックを積載する作業を行っても打設されたコンクリートに悪影響を与えることがない。従って、外構工事の短縮化をはかることが可能となる。
【産業上の利用可能性】
【００６４】
本発明に係る基礎ユニット及び外構基礎構造は、コンクリートブロック塀の基礎以外にも土留め用の壁体の基礎としても利用することが可能である。
【図面の簡単な説明】
【００６５】
【図１】第１実施例に係る基礎ユニットの構成を説明する図である。
【図２】基礎ユニットの嵌合部を説明する図である。
【図３】第２実施例に係る基礎ユニットの構成を説明する図である。
【図４】外構をコンクリートブロックを７段積み上げて構成したコンクリートブロック塀としたときの外構基礎構造を説明する図である。
【図５】外構基礎構造を施工する手順を説明する図である。
【符号の説明】
【００６６】
Ａ、Ｂ                  基礎ユニット
Ｃ                      外構基礎
Ｄ                      コンクリートブロック塀
１、２                  側板部材
１ａ、２ａ              小口面
１ｂ、２ｂ              上面
１ｃ                    補強リブ
２ｃ                    ブリッジ
３                      連結部材
４                      貫通部
５、６                  嵌合部
１０                    ブロック
１１                    コンクリートブロック
２０                    地業
２１                    型枠
２２                    ベース筋
２３                    縦筋
２４                    主筋
２５                    配力筋
２６                    横筋
【図１】
2008190232.tif 000003
【図２】
2008190232.tif 000004
【図３】
2008190232.tif 000005
【図４】
2008190232.tif 000006
【図５】
2008190232.tif 000007